(57)【特許請求の範囲】
【請求項１】
その中心部に貫通孔を設けたディスクを収容し、身と蓋とからなるケース本体と、
このケース本体の身と蓋とのそれぞれの面に設けられ、前記ディスクの外周部を支持する支持枠と、
この支持枠の中心部で前記ケース本体の内面側に突出した状態で配設され、前記ディスクに設けた貫通孔に挿入されると共に、ディスクの離脱を阻止する小突起を有して、前記身に設けた第１突出体と前記蓋に設けた第２突出体とからなる突出体と、
この突出体の第１突出体と第２突出体とは、前記ケース本体を閉じた状態で、互いに離間して略対向した状態で配置されると共に、それぞれの中心部を互いにずらすことで、ケース本体の無理な変形によって前記突出体同士が当接した場合に、一方の突出体は他方の突出体の一部と、その突出体に支持されたディスク貫通孔の周辺部との両方に当接するように設定して、ディスクの前記突出体からの離脱を阻止するようにしたことを特徴とする二枚入りディスク収納体。
【請求項２】
その中心部に貫通孔を設けたディスクを収納し、身と蓋とからなるケース本体と、
このケース本体の身と蓋とのそれぞれの面に設けられ、前記ディスクの外周部を支持する支持枠と、
この支持枠の中心部で、前記ケース本体とは弾性片を介してケース本体の内面側に突出した状態で配設され、前記ディスクに設けた貫通孔に挿入されると共に、ディスクの離脱を阻止する小突起を有して、前記身に設けた第１突出体と前記蓋に設けた第２突出体とからなる突出体と、
前記弾性片付き突出体の頂部を押圧して生じる上下方向の移動量が大きく設定できるように、前記突出体の下部を斜めに切断した状態に設定して設けた切断面とからなる二枚入りディスク収納体。
【発明の詳細な説明】
【０００１】
【発明の属する技術分野】
本発明は、身と蓋とからなるケース本体のそれぞれの面にディスクを収納して、ディスクがケース本体内で外れないようにすると共に、ケース本体を薄形化するように改善した二枚入りディスク収納体に関する。
【０００２】
【従来の技術】
身と蓋とからなるディスク収納体には、身の部分に一枚のディスクを収納することが一般的であり、蓋は単に身を覆うものであった。
また、ディスクの落下防止としては、本件出願人が先に出願した特開２００１−３０１８６７号公報で示す通り、蓋側に突起を設けて収納したディスクの無記録部分に当接させることにより、ディスクケースの変形や落下によるディスクの外れ対策としていた。
【０００３】
【発明が解決しようとする課題】
ディスクケースの身と蓋との両方にディスクを収納すると、ケースの厚みが増してケースが大形化してしまうという欠点があった。
また、特開２００１−３０１８６７号公報に示すように、ケース内に収納したディスクの落下を防止するには、蓋に突起を設けていたが、蓋側にもディスクを収納させるために、ディスクを押える突起が設けられないという不具合があった。
本発明は、このような不具合を解消するためになされたものであり、身と蓋との両方にディスクを収納してケースを薄形化し、しかも、それぞれのディスクの離脱を防止することができる二枚入りディスク収納体の提供を目的とする。
【０００４】
【課題を解決するための手段】
上記不具合を解決するために、本発明は次のような構成としている。
請求項１に記載した二枚入りディスク収納体は、中心部に貫通孔を設けたディスクを収納し、身と蓋とからなるケース本体のそれぞれの面にディスクの外周部を支持する支持枠を設けた。この支持枠の中心には弾性片を介して、ディスクの離脱を阻止する小突起を有し、前記身には第１突出体を蓋には第２突出体よりなる突出体を設けた。
この第１突出体と第２突出体とは略対向配置すると共に、それぞれの中心部を互いにずらすことで、一方の突出体の頂部が他方の突出体の一部と、この突出体に支持されたディスクの貫通孔周辺部との両方に当接するような位置関係で配設して、二枚入りディスク収納体とした。
互いの突出体が相手の突出体とディスクの両方とに同時に当接するので、一方の突出体が他方の突出体に取付けたディスクの脱落を阻止するものである。
請求項２に記載した二枚入りディスク収納体は、中心部に貫通孔を設けたディスクを収納し、身と蓋とからなるケース本体のそれぞれの面に、ディスクの外周部を支持する支持枠を設けた。この支持枠の中心には弾性片を介して、ディスクの離脱を阻止する小突起を設けた円盤状の突出体を形成した。
この弾性片付き突出体の頂部を押圧して生じる上下方向の移動量を、大きく設定できるように、突出体の下部を斜めに切断した状態に設定した切断面を設けることで、二枚入りディスク収納体とした。
突出体の下部を切断することにより、突出体を深く押すことができるので、ディスク支持枠の高さを低くすることができる。これによりケース本体を薄形に形成することが可能になった。
【０００５】
【発明の実施の形態】
本発明について、図面を参照して説明する。図１は本発明の二枚入りディスク収納体を開いた状態で示す斜視図、図２は図１の要部を示す一部破断斜視図である。
図１で示すように本発明の二枚入りディスク収納体１０は、図示しない円板形のディスク２枚を身１３と蓋１４との両方に収納するケース本体１２と、このケース本体に配設され、ディスクの中央部に設けられた貫通孔に挿入する突出体２０と、ディスク外周部に当接して支持する支持枠３０とからなる。
身１３と蓋１４とに設けたディスク収納部分は、図中のそれぞれの矢印で示す方向に位置を少しずらして配置されており、身１３に設けた第１突出体２２と蓋１４に設けた第２突出体２４とは、互いに逆向きに配置している。突出体同士の位置をずらした理由については後述する。
このようなケース本体１２と突出体２０及び支持枠３０とについて、更に詳細に説明する。
【０００６】
ケース本体１２は、ディスクの如く板状のものを収納する薄形の容器であり、ディスクを収容する部分となる身１３と、ヒンジ１６を介してこの身を覆う蓋１４とからなる一般的なケース本体１２である。
突出体２０は、回転するディスクの位置出し用として設けられた貫通孔に挿入する円盤形よりなり、図２で示すように、前述したケース本体１２とは弾性片２５を介して一体化されている。
すなわち、この円盤形の突出体２０は、その一部を除く周囲がケース本体と離間した状態に設定され、その下方が帯状の弾性片２５を介してケース本体１２と接続している。
従って、この突出体２０の頂部を押圧すると、押圧方向に変位すると共に、押圧力を除くと元の位置に戻るものであり、図中の矢印で示す方向に移動することができる。
【０００７】
このような突出体２０の周壁面の頂部側には、ディスクの貫通孔周辺部に乗り上げて、ディスクの浮上方向の移動を阻止する小突起２８を設けている。この小突起２８は、突出体２０とケース本体１２とを接続する弾性片２５側で、突出体の頂部側に一体化されて設けている。
従って、小突起２８を形成するために、小突起２８の下方の弾性片には、成形時に金型の一部が挿脱する貫通穴２６を設けている。
尚、突出体の例として、操作性に勝れた小突起２８付きの突出体２０で説明したが、その頂部側に他方の突出体の一部を押圧する平面があれば、複数個に分割されて１つの突出体を形成するような、他の構造の突出であったり、弾性片を介さずにケース内側に直接突出させたりした突出体でも良い。
【０００８】
小突起２８を設けた突出体２０の周囲には、ディスクの外周部分を支持する支持枠３０を設けており、これについて説明する。
支持枠３０は、図１で示すようにケース本体１２内に配設した突出体２０の周囲に設けられ、図示しないディスクの外周部の二面を支持する円形の枠である。
この支持枠３０は、ディスク外周部の下面と、ディスクの周壁面の二面に当接して、ケース本体平面部との平行移動を阻止するものである。その断面は基本的にＬ字形であり、ディスク外周囲を位置決めするものであれば、断続した円形の枠であったり、複数のＬ字形よりなる突出片を、円形に配置したりする形状の枠であっても良い。
【０００９】
このように形成した小突起２８付きの突出体２０の作用について、図面を参照して説明する。図３は突出体の作用説明図、図４はディスクの浮上状態を示す説明図である。
図４で示すように、中央に貫通孔を設けたディスク１は、支持枠３０上に配設すると、貫通孔と突出体２０とが一致されると共に、ディスク貫通孔の周辺部下側が、突出体２０に設けた小突起２８上に乗り上げた図中の実線で示すように配設される。
このような状態から、ディスク貫通孔周辺部を複数個所又は、小突起２８付近を押圧すると、弾性片２５を介して設けた突出体２０は、ディスクの貫通孔内に挿入され、小突起２８が貫通孔周辺部の上側に乗り上げた図４の点線で示す状態になる。
すなわち、ディスクはその周囲を支持枠３０により位置決めされていることと、小突起２８によりディスクの浮上方向も押えられていることとにより、ディスクはケース本体に取付けられる。
【００１０】
ディスク１を取外しするには、図３で示すように、ディスクの取付状態として点線で示す突出体２０を、図中の矢印で示す方向に指で押圧する。
押圧した突出体２０を、ディスクの下側に潜り込んだ図中の実線で示す状態になるまで押圧すると、突出体２０は弾性片２５の作用により弾性片が湾曲して、突出体２０が傾斜した状態に設定される。
一方、突出体２０の弾性片２５側に設けた小突起２８は、押圧前にはディスクの上側に位置しているが、突出体２０が押圧され下方へ移動すると、小突起２８もディスクの上側から外れる方向に移動すると共に、ディスクに設けた貫通孔内を通過して、ディスクの下側に潜り込んだ図３の実線で示す状態に設定される。
【００１１】
このようにケース本体１２とは、弾性片２５を介して設けた小突起２８付きの突出体２０と支持枠３０とからなるディスクの収納部は、ケース本体１２を形成する身１３と蓋１４との両面に配設され、互いに中心部をずらした状態で設けられている。
この位置関係について、図面を参照して説明する。図５はケース本体を閉じた状態で、突出体同士の位置関係を示す斜視図、図６は図５の動作説明図である。図５で示すように、身１３と蓋１４とにそれぞれ設けたディスク収容部は、互いに位置をずらすことで、収納したディスクの落下を阻止するように設定している。
すなわち、身１３に設けた第１突出体２２は、蓋１４に設けた第２突出体２４の一部と、更にこの第２突出体に支持させたディスク貫通孔周囲の一部との両方に対向させた状態で設置している。
換言すれば、図６で示すように第２突出体２４が何らかの理由で、第１突出体２２側に押圧された場合に、第１突出体２２にのみ当接すれば、第１突出体に支持されたディスクは外れるが、第１突出体２２の頂部は、第２突出体２４とそれに支持されたディスクとを同時に押圧することになり、それ以上突出体２２は降下しないから、ディスクが外れることはない。
この押圧力が取り除かれると、この押圧力はディスクを離脱させる方向の押圧力でないから、第２突出体２４は元の位置に戻るだけであり、第２突出体が支持したディスクは離れるようなことがない。
また、第１突出体２２が第２突出体２４側に押圧されても、同様にそれぞれのディスクが離脱することはない。
このディスクを離脱させる理由は、ケース本体の落下や変形により生じる場合があった。更に、意図的にディスクを離脱させてから、ケースの周囲を覆うフィルム状の包装紙を爪などで破くと共に、離脱したディスクをケース本体の間隙から抜き取って持ち去る例があり、この発明は万引き防止構造としての効果が大きい。一般にディスクの盗難防止策はケースに施されており、店外にケースを持出すことで盗難が発覚するようになっている。従って、ディスクだけを持出しても盗難予防装置が作動しないので、ケースからディスクのみを離脱させて持ち去ることが多い。要はディスクが離脱しなければ盗難を防止することができるものである。
【００１２】
ディスク収納部の薄形化について、図面を参照して説明する。図７はディスク収納部の薄形化を示す説明図である。
図７で示すように、ディスク収納部を薄形化したディスク収納体は、前述したと同様に小突起２８付きの突出体２０を、弾性片２５を介してケース本体１２に設けると共に、ディスクの外周部を支持する支持枠３０も同様に設けている。
但し、ディスク収納体の薄形化は、突出体２０の下面側に切断面２７を設けることで対応している。
すなわち、弾性片２５を一体化した突出体２０の先端部分の厚みを薄くするように、突出体の下面を斜めに切断して切断面２７を形成している。
換言すれば、支持したディスクの下面から弾性片に向った傾斜線で、突出体の下面を切断することで、切断面２７を形成したものである。
【００１３】
切断面２７を形成して薄形化できる理由について説明する。支持したディスクを取り外すには、図３で説明したように、図中の点線で示す突出体２０を矢印方向に押圧し、図中の実線で示すように突出体に設けた小突起２８をディスクの下面側に降下させる必要がある。
すなわち、支持されたディスクの下側には、突出体２０が降下する空間が必要になり、突出体２０のうちでも弾性片２５から離間した底面側が、最も深く降下することになる。従って、突出体２０の厚み方向が大きい程、ディスクの下側を深くしなければならないし、深くすることはケース本体の厚さ方向を増すことになる。
よって、図７の図中で示すように、切断高さをｈとした場合に、このｈ分だけケース本体を薄くすることができる。また、支持枠３０のディスク支持面の高さをＨとした場合に、切断面２７を設けることでＨ−ｈ分だけディスク収納部を低くすることができるものであり、二枚入りディスク収納体１０は、この２倍分だけ薄形化できるものである。
薄形化していない従来例のディスク収納体に、二枚のディスクを収納させると共に、この薄形化の発明を用いることにより、従来例の一枚入りディスク収納体に二枚のディスクを収納させることが可能となるものである。
すなわち、従来使用されていなかった蓋側の有効活用と薄形化の技術により、従来の一枚入りケースに二枚のディスクを収納させることができたものである。
【００１４】
【発明の効果】
以上説明したように本発明によれば、ケース本体の身と蓋との両方にディスクを支持させると共に、両方の配設位置をずらしたことにより、以下の効果を得ることができた。
すなわち、ディスクを支持する突出体同士が、相手側のディスクの貫通孔周辺部を押えることで、ディスクの離脱を防止すると共に、記録部を傷つけるようなことがない。更に、ディスクが離脱しないから、ディスクの盗難防止を行うこともできる。
また、突出体の下面に傾斜面を設けることにより、ケース本体を薄形化すると共に、二枚入りディスク収納体としたことにより、この薄型化の効果が２倍になって、従来の一枚入りディスク収納体に、二枚のディスクを収納させることができた等の効果を得ることができた。
【図面の簡単な説明】
【図１】本発明の二枚入りディスク収納体を開いた状態で示す斜視図である。
【図２】図１の要部を示す一部破断斜視図である。
【図３】図２で示す突出体の作用説明図である。
【図４】ディスクの浮上状態を示す説明図である。
【図５】ケース本体を閉じた状態で突出体同士の位置関係を示す斜視図である。
【図６】図５の動作説明図である。
【図７】ディスク収納部の薄形化を示す説明図である。
【符号の説明】
１０  二枚入りディスク収納体
１２  ケース本体
１３  身
１４  蓋
２０  突出体
２２  第１突出体
２４  第２突出体
２５  弾性片
２７  切断面
２８  小突起
３０  支持枠
【図１】
0003718802.tif 000002
【図２】
0003718802.tif 000003
【図３】
0003718802.tif 000004
【図４】
0003718802.tif 000005
【図５】
0003718802.tif 000006
【図６】
0003718802.tif 000007
【図７】
0003718802.tif 000008